(57)【要約】【課題】壁面との間の隙間の発生を抑制することができ、デザイン性を向上させることができる吐水装置を提供する。【解決手段】壁面に設置される吐水装置であって、壁面内に埋め込まれている給水配管に接続される給水脚と、装置の内部に配置され、前記給水脚から供給される水を受ける弁機構と、前記給水脚に接続され、前記給水脚と前記弁機構とを接続する給水継手と、前記給水脚および前記給水継手のいずれか一方に対して相対的に移動可能に設けられた鍔付きナットと、前記鍔付きナットの鍔部を、前記給水脚および前記給水継手のいずれか他方に固定する固定手段と、を備える。【選択図】図３
2020137806.tif 000002
【特許請求の範囲】
【請求項１】
壁面に設置される吐水装置であって、
壁面内に埋め込まれている給水配管に接続される給水脚と、
装置の内部に配置され、前記給水脚から供給される水を受ける弁機構と、
前記給水脚に接続され、前記給水脚と前記弁機構とを接続する給水継手と、
前記給水脚および前記給水継手のいずれか一方に対して相対的に移動可能に設けられた鍔付きナットと、
前記鍔付きナットの鍔部を、前記給水脚および前記給水継手のいずれか他方に固定する固定手段と、を備える
ことを特徴とする吐水装置。
【請求項２】
前記給水脚および前記給水継手は、前記給水脚および前記給水継手のいずれか一方の端部をいずれか他方に差し込んだ状態で連通接続されていることを特徴とする請求項１に記載の吐水装置。
【請求項３】
前記給水継手の端部を前記給水脚に差し込んだ状態で連通接続されており、前記鍔付きナットは、前記給水継手に設けられていることを特徴とする請求項２に記載の吐水装置。
【請求項４】
前記固定手段は、クイックファスナであることを特徴とする請求項１乃至３のいずれか１項に記載の吐水装置。
【発明の詳細な説明】
【技術分野】
【０００１】
本発明は、壁面に沿って設置される吐水装置に関する。
【背景技術】
【０００２】
従来、壁面に沿って設置される吐水装置が存在する。この吐水装置は、例えば、壁面に沿って鉛直方向に延びた支柱等を介してシャワーヘッドを支持したシャワー装置において、吐水流量や水温を調整するための調整機構等を含む構成として設けられる。このような吐水装置を壁面に取り付ける場合には、壁面内に埋め込まれている配管（給水用配管、給湯用配管）に、吐水装置内部の給水継手に連結するためのアダプタ（給水脚）を取り付ける必要がある。
【０００３】
吐水装置のアダプタに関しては、例えば、各アダプタ（給水用アダプタ、給湯用アダプタ）の中間部に形成された雄ねじに袋ナットを螺合させ、各アダプタと給水継手とを固定する技術が提案されている（例えば、特許文献１参照。）。
【先行技術文献】
【特許文献】
【０００４】
【特許文献１】特開２００８−２２０８２２号公報
【発明の概要】
【発明が解決しようとする課題】
【０００５】
上述の従来技術では、各アダプタの回転位置を調整することにより芯間調整を行うことができる。しかし、壁面内の配管は芯間距離だけではなく、壁面方向の埋没量（または、突出量）や、設置する製品公差により誤差が生じる虞がある。
【０００６】
このように、各アダプタの設置位置がばらつくと、アダプタと吐水装置内部の給水継手との接続位置が壁面方向に対してばらついてしまう。このとき、吐水装置と壁面との距離が近くなりすぎると干渉して取り付かない虞がある。しかし、吐水装置がかならず施工できるように設置すると、吐水装置と壁面との間には隙間が発生し、デザイン性が低下するおそれがある。
【０００７】
本発明は、上述した問題点に鑑みてなされたものであり、壁面との間の隙間の発生を抑制することができ、デザイン性を向上させることができる吐水装置を提供することを目的とする。
【課題を解決するための手段】
【０００８】
本発明に係る吐水装置は、壁面に設置される吐水装置であって、壁面内に埋め込まれている給水配管に接続される給水脚と、装置の内部に配置され、前記給水脚から供給される水を受ける弁機構と、前記給水脚に接続され、前記給水脚と前記弁機構とを接続する給水継手と、前記給水脚および前記給水継手のいずれか一方に対して相対的に移動可能に設けられた鍔付きナットと、前記鍔付きナットの鍔部を、前記給水脚および前記給水継手のいずれか他方に固定する固定手段と、を備えるものである。
【０００９】
このような構成の吐水装置によれば、壁面との間の隙間の発生を抑制することができ、デザイン性を向上させることができる。具体的には、前記給水脚および前記給水継手のいずれか一方に対して相対的に移動可能に設けられた鍔付きナットに対して、給水脚または給水継手の他方を固定することによって、給水脚と給水継手の固定を行うことで、給水脚（壁面）に対する吐水装置の相対的な位置調整をおこなうことが出来るようになる。
【００１０】
本発明に係る吐水装置の他の態様は、前記吐水装置において、前記給水脚および前記給水継手は、前記給水脚および前記給水継手のいずれか一方の端部をいずれか他方に差し込んだ状態で連通接続されているものである。
【００１１】
このような構成の吐水装置によれば、給水継手および給水脚間において、簡単な構造によって十分な水密性を確保することができる。すなわち、給水脚および給水継手を給水脚及び給水継手のいずれか一方の端部をいずれか他方の端部に差し込むだけで、差し込む方向に対して軸シールすることができる。また、給水脚および給水継手の連結部における差込量を吐水装置と壁面との間に隙間が生じないように調整した場合であっても、給水脚と給水継手との間に十分な水密性を確保することができる。
【００１２】
本発明に係る吐水装置の他の態様は、前記吐水装置において、前記給水継手の端部を前記給水脚に差し込んだ状態で連通接続されており、前記鍔付きナットは、前記給水継手に設けられているものである。
【００１３】
このような構成の吐水装置によれば、給水継手に設けられる鍔付きナットにより、給水継手の軸方向の調整を行うことができるため、吐水装置および壁面間の隙間の発生をさらに抑制することができる。また、給水継手および給水脚における流路面積の確保が容易となる。吐水装置内部に設ける給水継手はサイズの制約があり、あまり大きく形成することが出来ない。そのため、給水継手側に給水脚を差し込む構造とすると、給水脚側をさらに細く形成する必要が生じ、結果として流路断面積が小さくなってしまうのである。逆に、給水継手を給水脚へ差し込む構造とすることによって、給水継手の流路断面積を確保したまま、軸シールが出来るようになる。
【００１４】
本発明に係る吐水装置の他の態様は、前記吐水装置において、前記固定手段は、クイックファスナであるものである。
【００１５】
このような構成の吐水装置によれば、給水脚と給水継手とを容易に固定することができる。
【発明の効果】
【００１６】
本発明によれば、壁面との間の隙間の発生を抑制することができ、デザイン性を向上させることができる。
【図面の簡単な説明】
【００１７】
【図１】本発明の一実施形態に係るシャワー装置の外観構成例を示す斜視図である。
【図２】本発明の一実施形態に係る吐水装置の外観構成例を示す後方斜視図である。
【図３】本発明の一実施形態に係る吐水装置から背面カバーを取り外した状態を示す後方斜視図である。
【図４】本発明の一実施形態に係る給水脚の構成例を示す斜視図である。
【図５】本発明の一実施形態に係る給水脚の構成例を示す斜視図である。
【図６】本発明の一実施形態に係る給水脚の構成例を示す側面図である。
【図７】本発明の一実施形態に係る給水脚の構成例を示す縦断面図である。
【図８】本発明の一実施形態に係る給水継手および鍔付きナットの構成例を示す斜視図である。
【図９】本発明の一実施形態に係る給水継手および鍔付きナットの構成例を示す側面図である。
【図１０】本発明の一実施形態に係る給水継手および鍔付きナットの構成例を示す縦断面図である。
【図１１】本発明の一実施形態に係るクイックファスナの構成例を示す図である。
【図１２】本発明の一実施形態に係る給水脚および給水継手の接続構成を示す斜視図である。
【図１３】本発明の一実施形態に係る給水脚および給水継手の接続構成を示す斜視図である。
【図１４】本発明の一実施形態に係る給水脚および給水継手の接続構成を示す縦断面図である。
【発明を実施するための形態】
【００１８】
本発明は、吐水装置が設置される壁面内に埋め込まれている給水配管に接続される給水脚と、吐水装置の内部に配置される弁機構に接続される給水継手との固定構造を工夫することにより、吐水装置と壁面と間の隙間の発生を抑制し、デザイン性を高めた装置構成を実現しようとするものである。以下、本発明の実施の形態について図面を参照して説明する。
【００１９】
［シャワー装置の構成例］
図１は、本発明の一実施形態に係るシャワー装置１００の外観構成例を示す斜視図（左斜め前方から見た場合の斜視図）である。また、図２は、本発明の一実施形態に係る吐水装置１１０の外観構成例を示す斜視図（左斜め後方から見た場合の斜視図）である。また、図３は、本発明の一実施形態に係る吐水装置１１０から背面カバー１１２を取り外した場合の外観構成例を示す斜視図（左斜め後方から見た場合の斜視図）である。
【００２０】
シャワー装置１００は、壁面Ｗをなす壁に対して設けられ、矩形板状の形状を有する吐水部１４０から使用者の頭上に吐水を行うオーバーヘッドシャワー装置である。
【００２１】
シャワー装置１００は、吐水装置１１０と、立上り支柱部１２０と、支持アーム部１３０と、吐水部１４０と備える。シャワー装置１００は、シャワー装置１００が取り付けられる壁面Ｗ内に埋め込まれている給水用配管（図示略）および給湯用配管（図示略）から供給される湯水を混合して吐水部１４０から吐水させる装置である。
【００２２】
吐水装置１１０は、壁面Ｗに設置されている。吐水装置１１０は、シャワー装置１００の下端部に配置されている。吐水装置１１０は、壁面Ｗ内に埋め込まれている給水配管に接続される給水脚として、給湯用配管に接続される給水用の給水脚２００と、給水用配管に接続される給湯用の給水脚２５０とを有する。すなわち、本実施形態では、壁面Ｗ内に埋め込まれている給水配管として給湯用配管および給水用配管が設けられており、吐水装置１１０は、各配管に接続される２つの給水脚２００、２５０を有する。
【００２３】
吐水装置１１０は、正面カバー１１１と、背面カバー１１２と、上面カバー１１３と、下面カバー１１４と、側面カバー１１５、１１６とにより構成された箱状のケーシングを有する。ケーシングを構成する各カバーは、いずれも平板状の部分として構成されている。背面カバー１１２には、給水脚２００、２５０を通すための２つの孔１１７、１１８と、ネジ１１乃至１４を通すための４つの孔とが設けられる。一方の孔１１７には、壁面Ｗ内の給湯用配管に接続される給水脚２００が配置される。また、他方の孔１１８には、壁面Ｗ内に埋め込まれている給水用配管に接続される給水脚２５０が配置される。
【００２４】
また、吐水装置１１０の正面カバー１１１には、吐水部１４０からの湯水吐出量の調節や、湯水の温度調節を行うための複数の操作部材１５１乃至１５５が設けられている。例えば、操作部材１５１は、水の温度調整を行うための操作ツマミである。また、操作部材１５２は、水の流量調整を行うための操作ツマミである。また、操作部材１５３乃至１５５は、シャワー装置１００における吐水態様を、吐水部１４０における中央部からのヘッドシャワー吐水、吐水部１４０における全面的なヘッドシャワー吐水、およびシャワー装置１００が備えるハンドシャワー（図示略）からの吐水のいずれかの吐水に切り替える切替ボタンである。また、吐水装置１１０の左側（図１の手前側）には、使用者がシャワー装置１００の使用時に使用するもの（例えば、シャンプー）を置くための棚１６０が設けられている。棚１６０は、正面カバー１１１の左側への延設部分によって前側から覆われている。
【００２５】
また、吐水装置１１０の内部には、給湯用の給水脚２００に接続される給水継手３００と、給水脚２００と給水継手３００とを固定するためのクイックファスナ４００と、給水用の給水脚２５０に接続される給水継手３５０と、給水脚２５０と給水継手３５０とを固定するためのクイックファスナ４５０とが配置される。また、吐水装置１１０の内部には、立上り支柱部１２０、支持アーム部１３０を介して吐水部１４０に湯水を供給するための給水路（給水管）や、壁面Ｗ内の給水用配管および給湯用配管から供給される湯水を混合する弁機構が配置される。
【００２６】
このように、シャワー装置１００は、装置の内部に配置され、給水脚２００、２５０から供給される水を受ける弁機構と、給水脚２００、２５０に接続され、給水脚２００、２５０と弁機構とを接続する給水継手３００、３５０とを備える。弁機構は、上述のとおり複数のカバーにより構成された箱状のケーシング内に設けられている。
【００２７】
例えば、吐水装置１１０の内部には、温調用サーモ水栓（図示略）が内蔵され、温度調整用ツマミ（正面カバー１１１に設けられる操作部材１５１）により温度調整用スピンドルを回動させることができる。また、吐水装置１１０の内部には、給湯用の給水脚２００、給水継手３００から流入した湯と、給水用の給水脚２５０、給水継手３５０から流入した水とを、温調用サーモ水栓に導くための通水路が形成されている。また、温調用サーモ水栓では、供給された水および湯が混合され、適温に混合された湯水が、立上り支柱部１２０、支持アーム部１３０の内部に形成される給水路を経由して吐水部１４０に到達するように構成されている。
【００２８】
また、吐水装置１１０は、背面カバー１１２から後方に向けて突出する複数のネジ１１乃至１４により壁面Ｗに固定される。
【００２９】
立上り支柱部１２０は、吐水装置１１０から上方に向けて鉛直状に延設された断面略方形状の柱状の部分である。立上り支柱部１２０の内部には、吐水装置１１０で温度調節された湯水が流通するための給水路が複数収容されている。立上がり支柱部１２０は、壁面Ｗに沿って立設され、壁面Ｗに対して所定の位置に固定された状態で設けられている。立上がり支柱部１２０は、その内部の給水路を吐水装置１１０内の水路と連通接続させた状態で、下端部を吐水装置１１０に連結させ、上端部を支持アーム部１３０に連結させている。また、立上がり支柱部１２０の内部を流通する湯水が流通する給水路は、吐水装置１１０に設けた操作部材１５３等の操作によって切り替え制御される。
【００３０】
支持アーム部１３０は、立上り支柱部１２０の上端から前方に向けて水平状に延設された断面略方形状の部分であり、壁面Ｗに対して垂直方向に突設している。支持アーム部１３０の内部には、立上り支柱部１２０内の給水路に連通した給水路が収容されている。支持アーム部１３０の壁面Ｗ側下部は立上り支柱部１２０に支持されており、また、支持アーム部１３０の壁面Ｗ側端部はビスやネジ等の締結具を介して壁面Ｗに固定されている。また、支持アーム部１３０の立上り支柱部１２０とは逆側、つまり支持アーム部１３０の先端側には、吐水部１４０が連結されている。立上り支柱部１２０及び支持アーム部１３０により、吐水部１４０に対する給水路として、立上り支柱部１２０及び支持アーム部１３０の外形に沿った「Ｌ」字状の給水路が構成されている。
【００３１】
吐水部１４０は、支持アーム部１３０の立上り支柱部１２０とは逆側に設けられ、給水路から供給される湯水を吐水するシャワーヘッドである。吐水部１４０は、吐水装置１１０に対して、立上り支柱部１２０及び支持アーム部１３０により、使用者の頭上から吐水を行うことが可能な高さ位置に支持されており、オーバーヘッド型のシャワー装置１００を構成している。すなわち、吐水部１４０は、立上り支柱部１２０、支持アーム部１３０の内部に設けられる給水路を介して供給される湯水を、下面において等間隔に設けられる複数の散水孔や、下面の中心部分に設けられる吐水口から吐水する。なお、複数の散水孔からの吐水と、中心部分の吐水口からの吐水とについては、吐水装置１１０の正面カバー１１１に設けられる操作部材１５３乃至１５５を用いた操作により切り替えることができる。
【００３２】
本実施形態に係る吐水装置１１０は、給水脚２００、２５０と給水継手３００、３５０とを接続固定するための構成として、給水継手３００、３５０に対して相対的に移動可能に設けられた鍔付きナット３３０と、鍔付きナット鍔付きナット３３０の鍔部を、給水脚２００、２５０に固定する固定手段としてのクイックファスナ４００、４５０とを備える。また、本実施形態では、給水脚２００、２５０および給水継手３００、３５０は、給水継手３００、３５０の端部を給水脚２００、２５０に差し込んだ状態で連通接続されている。以下、吐水装置１１０が備える各部材について説明する。
【００３３】
［給水脚の構成例］
図４乃至図７は、本発明の一実施形態に係る給水脚２００の構成例を示す図である。図４には、給水脚２００の外観構成例として上流端部２１０側から見た場合の斜視図を示す。また、図５には、給水脚２００の外観構成例として下流端部２３０側から見た場合の斜視図を示す。また、図６には、給水脚２００の外観構成例として側面図を示す。また、図７には、給水脚２００の内部構成例として断面図を示す。なお、給水脚２５０の構成については、給水脚２００の構成と略同様であるため、ここでの図示およびその説明を省略する。
【００３４】
給水脚２００は、上述したように、吐水装置１１０の内部に配置され、給水継手３００と接続される給水路（給水管）であり、上流端部２１０と、本体部２２０と、下流端部２３０とを備える。
【００３５】
上流端部２１０は、シャワー装置１００が設置される壁面Ｗ内に埋め込まれている給湯用配管に接続される部分であり、給水脚２００と給湯用配管とを固定するための雄ネジ部２１１が外周面に形成される。
【００３６】
下流端部２３０は、吐水装置１１０の内部に設けられる給水継手３００に接続される部分であり、給水脚２００と給水継手３００とを固定するための鍔部２３１が先端に設けられる。また、下流端部２３０の開口部２３３には、給水継手３００の上流端部３１０（図８乃至図１０参照）が差し込まれる。
【００３７】
鍔部２３１は、下流端部２３０の開口部２３３から広がるように延びるフランジ状の鍔であり、端面２３２を備える。また、給水脚２００と給水継手３００とを固定する場合に、給水継手３００に取り付けられる鍔付きナット３３０の鍔部３３１の端面３３２（図８乃至図１０参照）と端面２３２とが当接される。そして、端面３３２と端面２３２とが当接された状態で、給水脚２００の鍔部２３１と、給水継手３００の鍔部３３１とがクイックファスナ４００により挟み込まれて固定される。
【００３８】
本体部２２０は、クランク形状の給水管である。すなわち、本体部２２０において、上流端部２１０の中心軸線Ａ１と、下流端部２３０の中心軸線Ａ２とが所定の長さ（例えば、約５ｍｍ）だけ偏心されている。このような構成とすることにより、給湯用配管に対する給水脚２００の回転位置を変えることにより、給水脚２００の管先端の間隔、整列を適宜調整することができる。すなわち、壁面に埋め込まれている給湯用配管および給水脚２００と、壁面に埋め込まれている給水用配管および給水脚２５０との位置決め誤差を吸収することができる。
【００３９】
［給水継手の構成例］
図８乃至図１０は、本発明の一実施形態に係る給水継手３００の構成例を示す図である。図８には、給水継手３００の外観構成例として上流端部３１０側から見た場合の斜視図を示す。また、図９には、給水継手３００の外観構成例として側面図を示す。また、図１０には、給水継手３００の内部構成例として断面図を示す。なお、給水継手３５０の構成については、給水継手３００の構成と略同様であるため、ここでの図示およびその説明を省略する。
【００４０】
給水継手３００は、上述したように、吐水装置１１０の内部に配置され、給水脚２００と接続される給水路（給水管）であり、上流端部３１０と、本体部３２０とを備える。給水継手３００に対して、鍔付きナット３３０が給水継手３００を貫通させた状態、つまり給水継手３００の外周面に螺合した状態で設けられている。
【００４１】
上流端部３１０は、給水脚２００の下流端部２３０に接続される部分であり、給水脚２００の下流端部２３０の開口部２３３に挿入される。また、上流端部３１０には、軸シール部３１１が設けられる。軸シール部３１１は、給水脚２００と給水継手３００との間の水密性を確保するための部分であり、例えば、２本のＯリング（例えば、ゴム製）３１２、３１３が外周面に取り付けられる。
【００４２】
本体部３２０は、吐水装置１１０の内部に続く給水路であり、雄ネジ部（ネジ切り部）３２１が外周面に形成される。また、鍔付きナット３３０の内側にも、内ネジ切り部が形成される。そして、雄ネジ部３２１には、鍔付きナット３３０が螺合される。
【００４３】
鍔付きナット３３０は、本体部３２０の外周面に取り付けられるフランジ形状の円筒体であり、本体部３２０の外周面に形成される雄ネジ部３２１に螺合される。また、鍔付きナット３３０の端部（上流端部３１０側の端部）には、鍔部３３１が形成される。
【００４４】
鍔部３３１は、鍔付きナット３３０の開口部（上流端部３１０側の開口部）から広がるように延びるフランジ状の部分であり、端面３３２を備える。また、上述したように、給水脚２００と給水継手３００とを固定する場合に、給水脚２００の鍔部２３１の端面２３２と、鍔部３３１の端面３３２とが当接される。そして、端面２３２と端面３３２とが当接された状態で、給水脚２００の鍔部２３１と、給水継手３００の鍔部３３１とがクイックファスナ４００により挟み込まれて固定される。
【００４５】
また、鍔付きナット３３０は、本体部３２０の外周面に形成される雄ネジ部３２１に螺合されるため、鍔付きナット３３０の回転を調整することにより、上流端部３１０の軸シール部３１１を給水脚２００の下流端部２３０の開口部２３３に挿入する挿入距離を調整することができる。この挿入距離の調整により、給水脚２００の壁面からの突出量の誤差を吸収することができる。
【００４６】
このように、鍔付きナット３３０を可変とすることにより給水継手３００の軸方向の調整を行うことができる。例えば、給水脚２００と給水継手３００との相対的な位置を、鍔付きナット３３０のねじ込み量で規定することができる。なお、給水継手３００の軸方向の調整以外については、給水脚２００により調整することができる。
【００４７】
［クイックファスナの構成例］
図１１は、本発明の一実施形態に係るクイックファスナ４００の構成例を示す図である。図１１（Ａ）には、クイックファスナ４００の外観構成例として斜視図を示す。また、図１１（Ｂ）には、クイックファスナ４００の外観構成例として上面図を示す。また、図１１（Ｃ）には、クイックファスナ４００の外観構成例として正面図を示す。また、図１１（Ｄ）には、クイックファスナ４００の外観構成例として側面図（図１１（Ａ）乃至（Ｃ）に示す開口部４２０側から見た側面図）を示す。また、図１１（Ｄ）には、クイックファスナ４００の外観構成例として側面図（図１１（Ａ）乃至（Ｃ）に示す凹陥部４１０側から見た側面図）を示す。なお、クイックファスナ４５０の構成については、クイックファスナ４００の構成と略同様であるため、ここでの図示およびその説明を省略する。
【００４８】
クイックファスナ４００は、給水圧にも耐えられるような信頼性の高い接続金具（留め具）であり、正面視で略Ｃ環状に形成されている。例えば、クイックファスナ４００は、板ばねを略Ｃ環状に曲げ加工して形成される。すなわち、クイックファスナ４００は、固定手段の一例である。
【００４９】
クイックファスナ４００は、凹陥部４１０と、開口部４２０と、挿入ガイド部４３１、４３２と、係入溝部４４１、４４２とを備える。
【００５０】
凹陥部４１０は、中央部に孔４１１が設けられ、両端部に係入溝部４４１、４４２が形成される部分である。また、凹陥部４１０に対向する位置（凹陥部４１０から１８０度周方向に隔たった位置）に開口部４２０が形成される。
【００５１】
開口部４２０は、クイックファスナ４００の周方向の所定個所（凹陥部４１０に対向する位置）に設けられる部分である。クイックファスナ４００により対象物を固定する場合には、その対象物を開口部４２０から差し込む。
【００５２】
挿入ガイド部４３１、４３２は、開口部４２０に臨む両端部に形成される、八の字状に開いた挿入ガイドである。このように、挿入ガイド部４３１、４３２が八の字状に開いているため、固定対象物を開口部４２０から挿入する際における挿入作業が容易である。
【００５３】
係入溝部４４１、４４２は、クイックファスナ４００の幅方向において中央部に溝（断面視で略コの字形状）が設けられる部分である。また、係入溝部４４１、４４２は、クイックファスナ４００の固定対象物の外形に合うように形成される。すなわち、本実施形態で使用するクイックファスナ４００は、給水脚２００の鍔部２３１と、鍔付きナット３３０の鍔部３３１とが当接された状態の形状に合うように形成される。また、係入溝部４４１、４４２の溝の長さ（クイックファスナ４００の幅方向の長さ）は、クイックファスナ４００の固定対象物の長さに合うように形成される。すなわち、本実施形態で使用するクイックファスナ４００は、給水脚２００の鍔部２３１と鍔付きナット３３０の鍔部３３１とが当接された状態の軸方向の長さに基づいて形成される。このように、クイックファスナ４００では、係入溝部４４１、４４２が周方向に沿ってほぼ全体的（凹陥部４１０、挿入ガイド部４３１、４３２を除く）に設けられている。
【００５４】
このように、クイックファスナ４００は、上下に配置される係入溝部４４１、４４２が、給水脚２００の鍔部２３１と鍔付きナット３３０の鍔部３３１とを挟み込むようにして固定する。すなわち、クイックファスナ４００は、給水脚２００の鍔部２３１と鍔付きナット３３０の鍔部３３１とを引っかけて固定する金属製の環状部材（断面視で略コの字形状の環状部材）としても把握することができる。また、給水脚２００の鍔部２３１と鍔付きナット３３０の鍔部３３１とを挟み込む係入溝部４４１、４４２が、断面視で略コの字形状であるため、給水脚２００の鍔部２３１と鍔付きナット３３０の鍔部３３１とが水圧を受けても外れない構造となっている。
【００５５】
［給水脚および給水継手の取り付け例］
次に、給水脚２００および給水継手３００をクイックファスナ４００により固定する場合の取り付け例について図１２乃至図１４を参照して詳細に説明する。
【００５６】
図１２乃至図１４は、本発明の一実施形態に係る給水脚２００および給水継手３００をクイックファスナ４００により固定した場合の構成例を示す図である。図１２には、給水脚２００および給水継手３００をクイックファスナ４００により固定した場合の外観構成例として斜視図を示す。また、図１３には、給水脚２００および給水継手３００をクイックファスナ４００により固定した場合の外観構成例として下側から見た場合の斜視図を示す。また、図１４には給水脚２００および給水継手３００をクイックファスナ４００により固定した場合の内部構成例として断面図を示す。なお、給水脚２５０、給水継手３５０、クイックファスナ４５０の構成については、給水脚２００、給水継手３００、クイックファスナ４００の構成と略同様であるため、ここでの図示およびその説明の一部を省略する。
【００５７】
最初に、シャワー装置１００を設置する壁面に埋め込まれている給湯用配管（図示略）に給水脚２００を取り付けるとともに、シャワー装置１００を設置する壁面Ｗに埋め込まれている給水用配管（図示略）に給水脚２５０を取り付ける。例えば、給水用配管および給湯用配管のそれぞれの開口部（給水脚接続部）には、雌ネジ部が設けられている。そして、給水脚２００の上流端部２１０に設けられている雄ネジ部２１１を給湯用配管の雌ネジ部に螺合させ、給水脚２００を給湯用配管に取り付ける。同様に、給水脚２５０の上流端部に設けられている雄ネジ部を給水用配管の雌ネジ部に螺合させ、給水脚２５０を給水用配管に取り付ける。
【００５８】
次に、取付用治具（図示略）を用いて、給水脚２００、２５０の回転位置を調整することにより、給水脚２００の下流端部２３０の中心軸線Ａ２と、給水脚２５０の下流端部の中心軸線との間隔を所定の間隔に調整する。
【００５９】
ここで、取付用治具（図示略）は、細長い平板部から２本の円柱部が突出するように構成されている。この２本の円柱部は、給水脚２００の下流端部２３０と、給水脚２５０の下流端部とに隙間なく挿入される太さに形成されている。また、２本の円柱部の間隔（中心軸線の間隔）は、吐水装置１１０の内部に設置される給水継手３００、３５０の中心軸線の間隔と同一に構成されている。したがって、取付用治具の２本の円柱部が給水脚２００の下流端部２３０と、給水脚２５０の下流端部とに同時に挿入されるように、給水脚２００、２５０の回転位置を調整することにより、給水脚２００の下流端部２３０と、給水脚２５０の下流端部との間隔を所定の間隔に調整することができる。また、取付用治具の平板部が鉛直方向に向けられるように、給水脚２００、２５０の回転位置を調整することにより、給水脚２００の下流端部２３０と、給水脚２５０の下流端部との間隔が所定間隔になるとともに、給水脚２００の下流端部２３０と、給水脚２５０の下流端部とが鉛直方向に整合する。
【００６０】
このように、取付用治具から突出した２本の円柱部を、給水脚２００の下流端部２３０と、給水脚２５０の下流端部との管内に挿入することにより、給水脚２００、２５０の回転位置を調整する。
【００６１】
次に、シャワー装置１００の各部をネジ１１乃至１４（図２参照）等により壁面Ｗの所定の位置に固定する。この場合には、吐水装置１１０の下面カバー１１４（図２参照）は、吐水装置１１０から取り外しておく。また、給水脚２００の下流端部２３０の開口部２３３に、給水継手３００の上流端部３１０の軸シール部３１１を差し込むとともに、給水脚２５０の下流端部の開口部に、給水継手３５０の上流端部の軸シール部を差し込むように配置する。
【００６２】
次に、吐水装置１１０の下側から、給水継手３００の鍔付きナット３３０を回転させることにより鍔付きナット３３０を軸方向に移動させ、鍔付きナット３３０の端面３３２と、給水脚２００の下流端部２３０の端面２３２とが当接するように調整する。同様に、給水継手３５０の鍔付きナットを回転させることによりその鍔付きナットを軸方向に移動させ、給水継手３５０の鍔付きナットの端面と、給水脚２５０の下流端部の端面とが当接するように調整する。
【００６３】
次に、吐水装置１１０の下側から、鍔付きナット３３０の端面３３２と、給水脚２００の下流端部２３０の端面２３２とが当接された状態で、鍔付きナット３３０の鍔部３３１と、給水脚２００の鍔部２３１とを挟むようにクイックファスナ４００を差し込む。この場合に、パチッと音がするまで確実にクイックファスナ４００を差し込むようにする。このクイックファスナ４００の差し込みにより、鍔付きナット３３０の鍔部３３１と、給水脚２００の鍔部２３１とがクイックファスナ４００の係入溝部４４１、４４２により固定される。そして、給水脚２００の下流端部２３０の軸（給水継手３００の軸）を回転軸としてクイックファスナ４００を９０度程度回転させる。ここで、鍔付きナット３３０と給水継手３００とはネジで固定されているため、給水脚２００と鍔付きナット３３０とがクイックファスナ４００で固定されることにより、給水脚２００と給水継手３００とが相対的に固定されることになる。例えば、図１２乃至図１４に示すように、給水脚２００と給水継手３００とがクイックファスナ４００により固定される。
【００６４】
同様に、吐水装置１１０の下側から、給水継手３５０の鍔付きナットの端面と、給水脚２５０の下流端部の端面とが当接された状態で、給水継手３５０の鍔付きナットの鍔部と、給水脚２５０の鍔部とを挟むようにクイックファスナ４５０を差し込む。この場合に、パチッと音がするまで確実にクイックファスナ４５０を差し込むようにする。このクイックファスナ４５０の差し込みにより、給水継手３５０の鍔付きナットの鍔部と、給水脚２５０の鍔部とがクイックファスナ４５０の係入溝部により固定される。そして、給水脚２５０の下流端部の軸（給水継手３５０の軸）を回転軸としてクイックファスナ４５０を９０度程度回転させる。この場合は、クイックファスナ４００の回転方向とは逆側に回転させるようにする。すなわち、吐水装置１１０において、クイックファスナ４００の開口部４２０とクイックファスナ４５０の開口部とが相対するように（互いに内側を向くように）、クイックファスナ４００およびクイックファスナ４５０が配置される。言い換えると、吐水装置１１０において、クイックファスナ４００の凹陥部４１０とクイックファスナ４５０の凹陥部とが互いに反対側を向くように（互いに外側を向くように）、クイックファスナ４００およびクイックファスナ４５０が配置される。例えば、図２に示すように、給水脚２５０と給水継手３５０とがクイックファスナ４５０により固定される。
【００６５】
次に、吐水装置１１０の下部分に下面カバー１１４を取り付ける。このように、吐水装置１１０の下部分に下面カバー１１４を取り付けることにより、クイックファスナ４００、４５０の周囲において、クイックファスナ４００、４５０が移動可能な空間が限定される。このため、クイックファスナ４００、４５０が回転したり外れたりすることを防止することができる。このように、吐水装置１１０を箱のような略平板形状とする場合には、吐水装置１１０の上下の制約があるが、その制約をクイックファスナ４００、４５０の回転防止や外れ防止に利用することができる。
【００６６】
ここで、給水脚に対して給水継手を位置調整しないと、吐水装置が設置される壁面と吐水装置との間に隙間が発生してしまい、デザイン性が低下するおそれがある。そこで、本実施形態では、給水脚２００または給水継手３００のどちらかに対して相対的に移動可能な鍔付きナット３３０を設けることで、給水脚２００と給水継手３００との位置調整が可能となる。このように、位置調整が可能となるため、シャワー装置１００と壁面との間の隙間の発生を抑制することができる。
【００６７】
すなわち、箱状の吐水装置１１０を壁面にぴったりと付ける場合に、吐水装置１１０と給水脚２００、２５０とを取り付ける際の誤差を吐水装置１１０側で吸収することができる機構を実現することができる。言い換えると、カバーに覆われる吐水装置１１０と壁面との隙間の発生を防止するための固定構造を実現することができる。これにより、浴室壁面にぴったりと沿うシャワー装置１００を実現することができる。
【００６８】
このように、本実施形態では、芯間調整が可能な脚部材（給水脚２００、２５０）を設けるとともに、吐水装置１１０側には鍔付きナット（鍔付きナット３３０、給水継手３５０の鍔付きナット）を設け、鍔付きナットの鍔部（鍔付きナット３３０の鍔部３３１、給水継手３５０の鍔付きナットの鍔部）と脚部材（給水脚２００、２５０）の鍔部（鍔部２３１、給水脚２５０の鍔部）とをクイックファスナ４００、４５０で締結することができる。
【００６９】
なお、本実施形態では、給水継手の端部に軸シール部を設け、この軸シール部を給水脚の開口部に差し込む例を示したが、本発明は、これに限定されない。例えば、給水脚の端部に軸シール部を設け、この軸シール部を給水継手の開口部に差し込むようにしてもよい。
【００７０】
また、本実施形態では、給水継手に鍔付きナットを設け、この鍔付きナットの鍔部と給水脚の鍔部とを固定する例を示したが、本発明は、これに限定されない。例えば、給水脚に鍔付きナットを設けるとともに、給水継手の端部に鍔部を設け、これらの鍔部同士を固定するようにしてもよい。このように、給水脚および給水継手に対して相対的に移動可能な鍔付きナットを、給水継手および給水脚のうちの一方に設けることにより本実施形態を実現することができる。
【００７１】
ただし、本実施形態のように、鍔付きナットを給水継手に設けた構成によれば、給水継手側が給水脚に対して差し込まれた状態で、給水継手と給水脚とが連通接続された状態となる。これにより、給水継手および給水脚における流路径の確保が容易となる。すなわち、ケーシングの内部に設けられてた給水継手については、他の装置との干渉を避けたり吐水装置１１０を小型化したりする観点から、管径についての自由度が比較的低いのに対し、給水脚については比較的管径についての自由度が高い。このため、給水継手に対して給水脚が差し込まれる構成の場合、給水脚の管径が、給水継手の管径により制限されることになり、全体として十分な大きさの管径を確保することが難しくなる可能性がある。そこで、給水継手を給水脚に差し込む構成によれば、給水脚の管径を大きくすることが容易となり、給水脚および給水継手において流路面積の確保が比較的容易となる。
【００７２】
また、本実施形態では、給水脚側の鍔部と給水継手側の鍔部とを固定する固定手段としてクイックファスナを用いる例を示したが、他の固定手段を用いるようにしてもよい。例えば、給水脚の鍔部と給水継手の鍔部とを固定する固定手段として、ボルトおよびナットを用いるようにしてもよい。ただし、固定手段としてボルトおよびナット等の締結具を用いた場合、吐水装置１１０のケーシング内においては装置の小型化等の観点からスペースが限られているため、締結具を締結するための作業スペースの確保が困難となる。この点、本実施形態のようにクイックファスナを用いた構成によれば、特に作業スペースが必要とされず、簡単かつ確実に鍔付きナットを給水脚に固定することが可能となる。
【００７３】
また、本実施形態では、給水継手の端部に軸シール部を設け、この軸シール部を給水脚の開口部に差し込むことにより給水脚と給水継手との間の水密性を確保する例を示したが、本発明は、これに限定されない。例えば、給水継手側の鍔部（鍔付きナットの鍔部）の端面と、給水脚の鍔部の端面との間に面シールを施す（例えば、それらの端面の間に平パッキンを挟む）ことにより、給水脚と給水継手との間の水密性を確保するようにしてもよい。ただし、この場合には、水密性を確保するため、鍔部同士が緩まないように、鍔部同士をボルト等の固定手段で固定することが好ましい。また、水密性を確保するため、給水継手と鍔付きナットとの間にもシール処理を施すことが好ましい。したがって、簡単な構造によって十分な水密性を確保する観点からは、本実施形態のように、給水脚および給水継手のいずれか一方の端部をいずれか他方に差し込んだ状態で連通接続させた構成が好ましい。
【００７４】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【００７５】
１１〜１４  ネジ
１００  シャワー装置
１１０  吐水装置
１１１  正面カバー
１１２  背面カバー
１１３  上面カバー
１１４  下面カバー
１１５、１１６  側面カバー
１１７、１１８  孔
１２０  立上り支柱部
１３０  支持アーム部
１４０  吐水部
１５１〜１５５  操作部材
２００、２５０  給水脚
２１０  上流端部
２１１  雄ネジ部
２２０  本体部
２３０  下流端部
２３１  鍔部
２３２  端面
２３３  開口部
３００、３５０  給水継手
３１０  上流端部
３１１  軸シール部
３１２、３１３  Ｏリング
３２０  本体部
３２１  雄ネジ部
３３０  鍔付きナット
３３１  鍔部
３３２  端面
４００、４５０  クイックファスナ
４１０  凹陥部
４２０  開口部
４３１、４３２  挿入ガイド部
４４１、４４２  係入溝部
【図１】
2020137806.tif 000003
【図２】
2020137806.tif 000004
【図３】
2020137806.tif 000005
【図４】
2020137806.tif 000006
【図５】
2020137806.tif 000007
【図６】
2020137806.tif 000008
【図７】
2020137806.tif 000009
【図８】
2020137806.tif 000010
【図９】
2020137806.tif 000011
【図１０】
2020137806.tif 000012
【図１１】
2020137806.tif 000013
【図１２】
2020137806.tif 000014
【図１３】
2020137806.tif 000015
【図１４】
2020137806.tif 000016